【手続補正書】
【提出日】平成17年12月9日(2005.12.9)
【手続補正１】
【補正対象書類名】明細書
【補正対象項目名】発明の名称
【補正方法】変更
【補正の内容】
【発明の名称】画像処理方法、画像処理装置および記録装置
【手続補正２】
【補正対象書類名】明細書
【補正対象項目名】特許請求の範囲
【補正方法】変更
【補正の内容】
【特許請求の範囲】
【請求項１】  同系色について第一の色材濃度の記録剤と前記第一の色材濃度より低い濃度の第二の色材濃度の記録剤を用いて記録媒体に記録を行なう記録装置で用いる記録データを、画像信号に基づいて生成する画像処理方法であって、
前記画像信号の信号値変化の範囲であって、該変化によって白から所定の色の最大彩度または最大濃度に至りさらに該最大彩度または最大濃度から黒に至る信号値の範囲における前記所定の色の最大彩度または最大濃度の信号値に対し、前記第一の色材濃度の記録剤と前記第二の色材濃度の記録剤の両方が使用されるように、前記記録データを生成することを特徴とする画像処理方法。
【請求項２】  前記第二の色材濃度の記録剤が前記信号値変化の全範囲で使用されるように、前記記録データを生成することを特徴とする請求項１に記載の画像処理方法。
【請求項３】  前記記録剤として、シアン、マゼンタ、イエローおよびブラックを用い、これらの記録剤のうち、前記第一の色材濃度を有する記録剤は少なくとも濃シアンまたは濃マゼンタの記録剤であり、前記第二の色材濃度を有する記録剤は少なくとも淡シアンまたは淡マゼンタの記録剤であることを特徴とする請求項１または２に記載の画像処理方法。
【請求項４】  前記最大彩度または最大濃度の信号値に対して前記第一の色材濃度の記録剤のみを用いた場合の記録媒体に対する打ちこみ率をＡとするとき、前記最大彩度または最大濃度の信号値に対して前記第一の色材濃度の記録剤と前記第二の色材濃度の記録剤の両方を用いる場合における、前記の第一の色材濃度の記録剤の打ち込み率Ｂと前記第二の色材濃度の記録剤の打ち込み率Ｃとの関係が、
Ｃ＞Ａ−Ｂ
であることを特徴とする請求項１ないし３のいずれかに記載の画像処理方法。
【請求項５】  同系色について第一の色材濃度の記録剤と前記第一の色材濃度より低い濃度の第二の色材濃度の記録剤を用いて記録媒体に記録を行なう記録装置で用いられる記録データを、画像信号に基いて生成する画像処理方法であって、
前記画像信号の信号値変化の範囲であって、該変化によって白から所定の色の最大彩度または最大濃度に至りさらに該最大彩度または最大濃度から黒に至る信号値の範囲を３２分割した単位幅の１０単位幅で、前記第二の色材濃度の記録剤の記録媒体に対する打ち込み率分布はその最大から０まで変化し、かつその１０単位幅に対する、用いる記録剤の総打ち込み率の変化率が前記第２の色材濃度の記録剤の変化率より小さくなるよう，前記記録データを生成することを特徴とする画像処理方法。
【請求項６】  同系色について第一の色材濃度の記録剤と前記第一の色材濃度より低い濃度の第二の色材濃度の記録剤を用いて記録媒体に記録を行なう記録装置で用いられる記録データを、画像信号に基いて生成する画像処理方法であって、
前記画像信号の信号値変化の範囲であって、該変化によって白から所定の色の最大彩度または最大濃度に至りさらに該最大彩度または最大濃度から黒に至る信号値の範囲をＮ分割(Ｎは２以上の整数)した単位幅のＮ／２単位幅以上の範囲において、前記第二の色材濃度の記録剤の打ち込み率が０から最大に至りさらに０になり、かつ前記第二の色材濃度の記録剤の打ち込み率分布がその最大から０まで変化する信号値変化の範囲に対する、用いる記録剤の総打ち込み率の変化率が前記第二の色材濃度の記録剤の変化率より小さくなるように、前記記録データを生成することを特徴とする画像処理方法。
【請求項７】  前記所定の色が緑である場合、前記緑色の最大彩度の信号値に基づいて、濃シアンの記録剤、淡シアンの記録剤およびイエローの記録剤が使用される前記記録データを生成することを特徴とする請求項１乃至６のいずれかに記載の画像処理方法。
【請求項８】  前記所定の色が赤である場合、前記赤色の最大彩度の信号値に基づいて、濃マゼンタの記録剤、淡マゼンタの記録剤およびイエローの記録剤が使用される前記記録データを生成することを特徴とする請求項１乃至６のいずれかに記載の画像処理方法。
【請求項９】  前記所定の色が青である場合、前記青色の最大彩度の信号値に基づいて、濃シアンの記録剤、淡シアンの記録剤、濃マゼンタの記録剤および淡マゼンタの記録剤が使用される前記記録データを生成することを特徴とする請求項１乃至６のいずれかに記載の画像処理方法。
【請求項１０】  前記所定の色がシアンである場合、前記シアン色の最大彩度の信号値に対し、濃シアンの記録剤および淡シアンの記録剤が使用される前記記録データを生成することを特徴とする請求項１乃至６のいずれかに記載の画像処理方法。
【請求項１１】  前記所定の色がマゼンタである場合、前記マゼンタ色の最大彩度の信号値に対し、濃マゼンタの記録剤および淡マゼンタの記録剤が使用される前記記録データを生成することを特徴とする請求項１乃至６のいずれかに記載の画像処理方法。
【請求項１２】  同系色について第一の色材濃度の記録剤と前記第一の色材濃度より低い濃度の第二の色材濃度の記録剤を用いて記録媒体に記録を行なう記録装置で用いられる記録データを、画像信号に基いて生成する画像処理方法であって、
前記画像信号の信号値変化の範囲であって、該変化によって白から所定の色相の最大彩度に至りさらに該最大彩度から黒に至る信号値の範囲における前記所定の色相の最大彩度の信号値に対し、前記第一の色材濃度の記録剤と前記第二の色材濃度の記録剤の両方が使用されるように、前記記録データを生成することを特徴とする画像処理方法。
【請求項１３】  同系色について第一の色材濃度の記録剤と前記第一の色材濃度より低い濃度の第二の色材濃度の記録剤を用いて記録媒体に記録を行なう記録装置の記録データを、画像信号に基いて生成する画像処理方法であって、
前記画像信号の信号値変化の範囲であって、該変化によって白から所定の２次色の最大彩度または最大濃度に至りさらに該最大彩度または最大濃度から黒に至る信号値の範囲における前記所定の２次色の最大彩度または最大濃度の信号値に対し、前記第一の色材濃度の記録剤と前記第二の色材濃度の記録剤の両方が使用されるように、前記記録データを生成することを特徴とする画像処理方法。
【請求項１４】  同系色について第一の色材濃度の記録剤と前記第一の色材濃度より低い濃度の第二の色材濃度の記録剤を用いて記録媒体に記録を行なう記録装置で用いられる記録データを、画像信号に基いて生成する画像処理方法であって、
画像信号の信号値変化の範囲であって、該変化によって白から所定の１次色の最大彩度または最大濃度に至りさらに該最大彩度または最大濃度から黒に至る信号値の範囲における前記所定の１次色の最大彩度または最大濃度の信号値に対し、前記第一の色材濃度の記録剤と前記第二の色材濃度の記録剤の両方が使用されるように、前記記録データを生成することを特徴とする画像処理方法。
【請求項１５】  同系色について第一の色材濃度の記録剤と前記第一の色材濃度より低い濃度の第二の色材濃度の記録剤を用いて記録媒体に記録を行なう記録装置の記録データを、画像信号に基いて生成する画像処理方法であって、
前記画像信号の信号値変化の範囲であって、該変化によって白から所定の色の最大彩度に至りさらに該最大彩度から黒に至る信号値の範囲における前記所定の色の最大彩度の信号値に対し、前記第一の色材濃度の記録剤と前記第二の色材濃度の記録剤の両方が使用されるように、前記記録データを生成することを特徴とする画像処理方法。
【請求項１６】  同系色について第一の色材濃度の記録剤と前記第一の色材濃度より低い濃度の第二の色材濃度の記録剤を用いて記録媒体に記録を行なう記録装置で用いる記録データを、画像信号に基いて生成する画像処理装置であって、
請求項１乃至１５のいずれかに記載の画像処理方法を実行する手段を備えることを特徴とする画像処理装置。
【請求項１７】  同系色について第一の色材濃度の記録剤と前記第一の色材濃度より低い濃度の第二の色材濃度の記録剤を用いて記録媒体に記録を行なう記録装置であって、
請求項１乃至１５のいずれかに記載の画像処理方法を実行する手段を備えることを特徴とする記録装置。
【請求項１８】  同系色について第一の色材濃度の記録剤と前記第一の色材濃度より低い濃度の第二の色材濃度の記録剤を用いて記録媒体に記録を行なう記録装置で用いる記録データを、画像信号に基いて生成する工程をコンピュータに実行させるプログラムであって、
前記画像信号の信号値変化の範囲であって、該変化によって白から所定の色の最大彩度または最大濃度に至りさらに該最大彩度または最大濃度から黒に至る信号値の範囲における前記所定の色の最大彩度または最大濃度の信号値に対し、前記第一の色材濃度の記録剤と前記第二の色材濃度の記録剤の両方が使用されるように、前記記録データを生成することを特徴とするプログラム。
【手続補正３】
【補正対象書類名】明細書
【補正対象項目名】０００１
【補正方法】変更
【補正の内容】
【０００１】
【発明の属する技術分野】
本発明は画像処理方法、画像処理装置および記録装置に関し、詳しくは、同系色について濃度の異なる色材を用いて記録を行なう場合の濃度再現に関するものである。
【手続補正４】
【補正対象書類名】明細書
【補正対象項目名】００１５
【補正方法】変更
【補正の内容】
【００１５】
本発明は、上述した従来の問題を解消するためになされたものであり、その目的とするところは、濃淡インクなど、同系色について異なる濃度の色材を用いて記録を行なう場合において良好な濃度再現を可能とする画像処理装置、画像処理装置および記録装置を提供することにある。
【手続補正５】
【補正対象書類名】明細書
【補正対象項目名】００１６
【補正方法】変更
【補正の内容】
【００１６】
【課題を解決するための手段】
そのために本発明では、同系色について第一の色材濃度の記録剤と前記第一の色材濃度より低い濃度の第二の色材濃度の記録剤を用いて記録媒体に記録を行なう記録装置で用いる記録データを、画像信号に基づいて生成する画像処理方法であって、前記画像信号の信号値変化の範囲であって、該変化によって白から所定の色の最大彩度または最大濃度に至りさらに該最大彩度または最大濃度から黒に至る信号値の範囲における前記所定の色の最大彩度または最大濃度の信号値に対し、前記第一の色材濃度の記録剤と前記第二の色材濃度の記録剤の両方が使用されるように、前記記録データを生成することを特徴とする。
【手続補正６】
【補正対象書類名】明細書
【補正対象項目名】００１７
【補正方法】変更
【補正の内容】
【００１７】
別の形態では、同系色について第一の色材濃度の記録剤と前記第一の色材濃度より低い濃度の第二の色材濃度の記録剤を用いて記録媒体に記録を行なう記録装置で用いられる記録データを、画像信号に基いて生成する画像処理方法であって、前記画像信号の信号値変化の範囲であって、該変化によって白から所定の色の最大彩度または最大濃度に至りさらに該最大彩度または最大濃度から黒に至る信号値の範囲を３２分割した単位幅の１０単位幅で、前記第二の色材濃度の記録剤の記録媒体に対する打ち込み率分布はその最大から０まで変化し、かつその１０単位幅に対する、用いる記録剤の総打ち込み率の変化率が前記第２の色材濃度の記録剤の変化率より小さくなるよう，前記記録データを生成することを特徴とする。
【手続補正７】
【補正対象書類名】明細書
【補正対象項目名】００１８
【補正方法】変更
【補正の内容】
【００１８】
さらに別の形態では、同系色について第一の色材濃度の記録剤と前記第一の色材濃度より低い濃度の第二の色材濃度の記録剤を用いて記録媒体に記録を行なう記録装置で用いられる記録データを、画像信号に基いて生成する画像処理方法であって、前記画像信号の信号値変化の範囲であって、該変化によって白から所定の色の最大彩度または最大濃度に至りさらに該最大彩度または最大濃度から黒に至る信号値の範囲をＮ分割(Ｎは２以上の整数)した単位幅のＮ／２単位幅以上の範囲において、前記第二の色材濃度の記録剤の打ち込み率が０から最大に至りさらに０になり、かつ前記第二の色材濃度の記録剤の打ち込み率分布がその最大から０まで変化する信号値変化の範囲に対する、用いる記録剤の総打ち込み率の変化率が前記第二の色材濃度の記録剤の変化率より小さくなるように、前記記録データを生成することを特徴とする。
【手続補正８】
【補正対象書類名】明細書
【補正対象項目名】００１９
【補正方法】変更
【補正の内容】
【００１９】
さらに別の形態では、同系色について第一の色材濃度の記録剤と前記第一の色材濃度より低い濃度の第二の色材濃度の記録剤を用いて記録媒体に記録を行なう記録装置で用いられる記録データを、画像信号に基いて生成する画像処理方法であって、前記画像信号の信号値変化の範囲であって、該変化によって白から所定の色相の最大彩度に至りさらに該最大彩度から黒に至る信号値の範囲における前記所定の色相の最大彩度の信号値に対し、前記第一の色材濃度の記録剤と前記第二の色材濃度の記録剤の両方が使用されるように、前記記録データを生成することを特徴とする。
【手続補正９】
【補正対象書類名】明細書
【補正対象項目名】００２０
【補正方法】変更
【補正の内容】
【００２０】
さらに別の形態では、同系色について第一の色材濃度の記録剤と前記第一の色材濃度より低い濃度の第二の色材濃度の記録剤を用いて記録媒体に記録を行なう記録装置の記録データを、画像信号に基いて生成する画像処理方法であって、前記画像信号の信号値変化の範囲であって、該変化によって白から所定の２次色の最大彩度または最大濃度に至りさらに該最大彩度または最大濃度から黒に至る信号値の範囲における前記所定の２次色の最大彩度または最大濃度の信号値に対し、前記第一の色材濃度の記録剤と前記第二の色材濃度の記録剤の両方が使用されるように、前記記録データを生成することを特徴とする。
【手続補正１０】
【補正対象書類名】明細書
【補正対象項目名】００２１
【補正方法】変更
【補正の内容】
【００２１】
さらに別の形態では、同系色について第一の色材濃度の記録剤と前記第一の色材濃度より低い濃度の第二の色材濃度の記録剤を用いて記録媒体に記録を行なう記録装置で用いられる記録データを、画像信号に基いて生成する画像処理方法であって、画像信号の信号値変化の範囲であって、該変化によって白から所定の１次色の最大彩度または最大濃度に至りさらに該最大彩度または最大濃度から黒に至る信号値の範囲における前記所定の１次色の最大彩度または最大濃度の信号値に対し、前記第一の色材濃度の記録剤と前記第二の色材濃度の記録剤の両方が使用されるように、前記記録データを生成することを特徴とする。
【手続補正１１】
【補正対象書類名】明細書
【補正対象項目名】００２２
【補正方法】変更
【補正の内容】
【００２２】
さらに別の形態では、同系色について第一の色材濃度の記録剤と前記第一の色材濃度より低い濃度の第二の色材濃度の記録剤を用いて記録媒体に記録を行なう記録装置の記録データを、画像信号に基いて生成する画像処理方法であって、前記画像信号の信号値変化の範囲であって、該変化によって白から所定の色の最大彩度に至りさらに該最大彩度から黒に至る信号値の範囲における前記所定の色の最大彩度の信号値に対し、前記第一の色材濃度の記録剤と前記第二の色材濃度の記録剤の両方が使用されるように、前記記録データを生成することを特徴とする。
【手続補正１２】
【補正対象書類名】明細書
【補正対象項目名】００２３
【補正方法】変更
【補正の内容】
【００２３】
また、同系色について第一の色材濃度の記録剤と前記第一の色材濃度より低い濃度の第二の色材濃度の記録剤を用いて記録媒体に記録を行なう記録装置で用いる記録データを、画像信号に基いて生成する画像処理装置であって、上記のいずれかに記載の画像処理方法を実行する手段を備えることを特徴とする。
【手続補正１３】
【補正対象書類名】明細書
【補正対象項目名】００２４
【補正方法】変更
【補正の内容】
【００２４】
さらに、同系色について第一の色材濃度の記録剤と前記第一の色材濃度より低い濃度の第二の色材濃度の記録剤を用いて記録媒体に記録を行なう記録装置であって、上記のいずれかに記載の画像処理方法を実行する手段を備えることを特徴とする。